【手続補正書】
【提出日】平成17年3月11日(2005.3.11)
【手続補正１】
【補正対象書類名】明細書
【補正対象項目名】発明の名称
【補正方法】変更
【補正の内容】
【発明の名称】画像処理装置および方法、記録媒体、並びに制御システム
【手続補正２】
【補正対象書類名】明細書
【補正対象項目名】特許請求の範囲
【補正方法】変更
【補正の内容】
【特許請求の範囲】
【請求項１】
所定のコードを撮像する撮像手段と、
前記撮像手段により撮像された前記所定のコードの画像データから、前記コードの識別情報を取得する取得手段と、
前記取得手段により取得された前記識別情報に対応した管理情報の内容を更新する更新手段と、
前記取得手段により取得された前記識別情報に対応して、前記更新手段を制御する制御手段と
を備えることを特徴とする画像処理装置。
【請求項２】
所定のコードを撮像する撮像ステップと、
前記撮像ステップで撮像された前記所定のコードの画像データから、前記コードの識別情報を取得する取得ステップと、
前記取得ステップで取得された前記識別情報に対応した管理情報の内容を更新する更新ステップと、
前記取得ステップで取得された前記識別情報に対応して、前記更新ステップを制御する制御ステップと
を含むことを特徴とする画像処理方法。
【請求項３】
所定のコードを読み取る画像処理装置において、
前記所定のコードを撮像する撮像ステップと、
前記撮像ステップで撮像された前記所定のコードの画像データから、前記コードの識別情報を取得する取得ステップと、
前記取得ステップで取得された前記識別情報に対応した管理情報の内容を更新する更新ステップと、
前記取得ステップで取得された前記識別情報に対応して、前記更新ステップを制御する制御ステップと
を含む実行させるコンピュータが読み取り可能なプログラムを記録することを特徴とする記録媒体。
【請求項４】
所定のコードを撮像する撮像手段と、
前記撮像手段により撮像された前記所定のコードの画像データから、前記コードの識別情報を取得する識別情報取得手段と、
時刻情報を取得する時刻情報取得手段と、
前記識別情報取得手段により取得された前記識別情報と、前記時刻情報取得手段により取得された前記時刻情報とを対応付けて記憶する記憶手段と
を備えることを特徴とする画像処理装置。
【請求項５】
識別情報を所定のコードとして保持する識別情報保持手段と、
前記所定のコードを撮像する撮像手段と、
前記撮像手段により撮像された前記所定のコードの画像データから、前記識別情報を取得する識別情報取得手段と、
前記識別情報取得手段により取得された前記識別情報に対応した管理情報の内容を更新する更新手段と、
前記識別情報取得手段により取得された前記識別情報に対応して、前記更新手段を制御する更新制御手段と
を備えることを特徴とする画像処理装置の制御システム。
【手続補正３】
【補正対象書類名】明細書
【補正対象項目名】０００１
【補正方法】変更
【補正の内容】
【０００１】
【発明の属する技術分野】
本発明は、画像処理装置および方法、記録媒体、並びに制御システムに関し、特に、例えば、２次元バーコードから得られる識別情報に基づいて、出席管理を、容易に行うことができるようにした画像処理装置および方法、記録媒体、並びに制御システムに関する。
【手続補正４】
【補正対象書類名】明細書
【補正対象項目名】０００６
【補正方法】変更
【補正の内容】
【０００６】
【課題を解決するための手段】
本発明の第１の画像処理装置は、所定のコードを撮像する撮像手段と、撮像手段により撮像された所定のコードの画像データから、コードの識別情報を取得する取得手段と、取得手段により取得された識別情報に対応した管理情報の内容を更新する更新手段と、取得手段により取得された識別情報に対応して、更新手段を制御する制御手段とを備えることを特徴とする。
【手続補正５】
【補正対象書類名】明細書
【補正対象項目名】０００７
【補正方法】変更
【補正の内容】
【０００７】
本発明の画像処理方法は、所定のコードを撮像する撮像ステップと、撮像ステップで撮像された所定のコードの画像データから、コードの識別情報を取得する取得ステップと、取得ステップで取得された識別情報に対応した管理情報の内容を更新する更新ステップと、取得ステップで取得された識別情報に対応して、更新ステップを制御する制御ステップとを含むことを特徴とする。
【手続補正６】
【補正対象書類名】明細書
【補正対象項目名】０００８
【補正方法】変更
【補正の内容】
【０００８】
本発明の記録媒体のプログラムは、所定のコードを撮像する撮像ステップと、撮像ステップで撮像された所定のコードの画像データから、コードの識別情報を取得する取得ステップと、取得ステップで取得された識別情報に対応した管理情報の内容を更新する更新ステップと、取得ステップで取得された識別情報に対応して、更新ステップを制御する制御ステップとを含む処理を実行させるコンピュータが読み取り可能なプログラムを提供することを特徴とする。
【手続補正７】
【補正対象書類名】明細書
【補正対象項目名】０００９
【補正方法】変更
【補正の内容】
【０００９】
本発明の第１の画像処理装置、画像処理方法、および記録媒体のプログラムにおいては、所定のコードが撮像され、撮像された所定のコードの画像データから、コードの識別情報が取得され、取得された識別情報に対応した管理情報の内容が更新され、取得された識別情報に対応して、それが制御される。
本発明の第２の画像処理装置は、所定のコードを撮像する撮像手段と、撮像手段により撮像された所定のコードの画像データから、コードの識別情報を取得する識別情報取得手段と、時刻情報を取得する時刻情報取得手段と、識別情報取得手段により取得された識別情報と、時刻情報取得手段により取得された時刻情報とを対応付けて記憶する記憶手段とを備えることを特徴とする。
本発明の第２の画像処理装置においては、所定のコードが撮像され、撮像された所定のコードの画像データから、コードの識別情報が取得され、時刻情報が取得され、取得された識別情報と、取得された時刻情報とが対応付けて記憶される。
本発明の画像処理装置の制御システムは、識別情報を所定のコードとして保持する識別情報保持手段と、所定のコードを撮像する撮像手段と、撮像手段により撮像された所定のコードの画像データから、識別情報を取得する識別情報取得手段と、識別情報取得手段により取得された識別情報に対応した管理情報の内容を更新する更新手段と、識別情報取得手段により取得された識別情報に対応して、更新手段を制御する更新制御手段とを備えることを特徴とする。
本発明の画像処理装置の制御システムにおいては、識別情報が所定のコードとして保持され、所定のコードが撮像され、撮像された所定のコードの画像データから、識別情報が取得され、取得された識別情報に対応した管理情報の内容が更新され、取得された識別情報に対応して、更新手段が制御される。
【手続補正８】
【補正対象書類名】明細書
【補正対象項目名】００１１
【補正方法】変更
【補正の内容】
【００１１】
請求項１に記載に画像処理装置は、
所定のコードを撮像する撮像手段（例えば、図１のＣＣＤビデオカメラ２３）と、
撮像手段により撮像された所定のコードの画像データから、コードの識別情報（例えば、2DコードID）を取得する取得手段（例えば、図１０のＦＡプログラム５６Ｅ）と、
取得手段により取得された識別情報に対応した管理情報の内容を更新する更新手段（例えば、図１０の出席管理プログラム５６Ｆ）と、
取得手段により取得された識別情報に対応して、更新手段を制御する制御手段（例えば、図１０のＦＡプログラム５６Ｅ）と
を備えることを特徴とする。
請求項２に記載の画像処理方法は、
所定のコードを撮像する撮像ステップ（例えば、図１のＣＣＤビデオカメラ２３の処理）と、
撮像ステップで撮像された所定のコードの画像データから、コードの識別情報を取得する取得ステップ（例えば、図１１のステップＳ２）と、
取得ステップで取得された識別情報に対応した管理情報の内容を更新する更新ステップ（例えば、図１２のステップＳ２６およびＳ２９）と、
取得ステップで取得された識別情報に対応して、更新ステップを制御する制御ステップ（例えば、図１１のステップＳ７）と
を含むことを特徴とする画像処理方法。
請求項３に記載の記録媒体のプログラムの具体例も、請求項２に記載の画像処理方法の各ステップの発明の実施の形態における具体例と同様である。
請求項４に記載の画像処理装置は、
所定のコードを撮像する撮像手段（例えば、図１のＣＣＤビデオカメラ２３）と、
前記撮像手段により撮像された前記所定のコードの画像データから、前記コードの識別情報を取得する識別情報取得手段（例えば、図１０のＦＡプログラム５６Ｅ）と、
時刻情報を取得する時刻情報取得手段（例えば、図１０の出席管理プログラム５６Ｆ）と、
前記識別情報取得手段により取得された前記識別情報と、前記時刻情報取得手段により取得された前記時刻情報とを対応付けて記憶する記憶手段（例えば、図１０の出席管理データベース５６Ｇ）と
を備えることを特徴とする画像処理装置。
請求項５に記載の制御システムは、
識別情報を所定のコードとして保持する識別情報保持手段（例えば、図１０の出席管理データベース５６Ｇ）と、
前記所定のコードを撮像する撮像手段（例えば、図１のＣＣＤビデオカメラ２３）と、
前記撮像手段により撮像された前記所定のコードの画像データから、前記識別情報を取得する識別情報取得手段（例えば、図１０のＦＡプログラム５６Ｅ）と、
前記識別情報取得手段により取得された前記識別情報に対応した管理情報の内容を更新する更新手段（例えば、図１０の出席管理プログラム５６Ｆ）と、
前記識別情報取得手段により取得された前記識別情報に対応して、前記更新手段を制御する更新制御手段（例えば、図１０のＦＡプログラム５６Ｅ）と
を備えることを特徴とする。
【手続補正９】
【補正対象書類名】明細書
【補正対象項目名】００６８
【補正方法】変更
【補正の内容】
【００６８】
【発明の効果】
本発明によれば、撮像されたコードの画像データから、識別情報を取得するようにしたので、容易にかつ安価に、管理情報を更新することができる。